(57)【要約】【課題】本発明は、サーバに格納された施設地図情報を読み出し、該情報をナビ装置に伝送して簡単に利用できる地図配信システムを提供する。【解決手段】本発明の地図配信システムは、インターネット通信回線を介して施設の位置座標情報を取得する携帯通信端末と、携帯通信端末から施設の位置座標情報を取得して記憶する記憶部と、地図情報を記憶する地図情報記憶部と、該記憶部に記憶されている該施設の位置座標情報に基づいて、施設の位置を該地図情報に基づいた地図画面上に表示する表示部と、を有するナビゲーション装置と、を備えることを特徴とする。【選択図】図５
2010230677.tif 000002
【特許請求の範囲】
【請求項１】
インターネット通信回線を介して施設の位置座標情報を取得する携帯通信端末と、
前記携帯通信端末から前記施設の位置座標情報を取得して記憶する記憶部と、地図情報を記憶する地図情報記憶部と、該記憶部に記憶されている該施設の位置座標情報に基づいて、施設の位置を該地図情報に基づいた地図画面上に表示する表示部と、を有するナビゲーション装置と、
を備えることを特徴とする地図配信システム。
【請求項２】
前記施設の位置座標情報は、テレビジョン放送番組で放映された施設に関する情報である、請求項１に記載の地図配信システム。
【請求項３】
前記ナビゲーション装置は、前記位置座標情報に基づいて当該施設までのルートを検索し、検索できた当該ルートを表示する、請求項１または２に記載の地図配信システム。
【請求項４】
前記ナビゲーション装置は、音声入力手段を有し、
前記音声入力手段により、配信処理メニューの配信条件を指示できる、請求項１乃至３のいずれか一項に記載の地図配信システム。
【請求項５】
インターネット通信回線を介して施設の位置座標情報を取得する携帯通信端末から前記施設の位置座標情報を取得して記憶する記憶部と、
地図情報を記憶する地図情報記憶部と、
該記憶部に記憶されている該施設の位置座標情報に基づいて、施設の位置を該地図情報に基づいた地図画面上に表示する表示部と、を備えることを特徴とするナビゲーション装置。
【請求項６】
前記施設の位置座標情報は、テレビジョン放送番組で放映された施設に関する情報である、請求項５に記載のナビゲーション装置。
【請求項７】
前記ナビゲーション装置は、前記位置座標情報に基づいて当該施設までのルートを検索し、検索できた当該ルートを表示する、請求項５または６に記載のナビゲーション装置。
【請求項８】
前記ナビゲーション装置は、音声入力手段を有し、
前記音声入力手段により、配信処理メニューの配信条件を指示できる、請求項５乃至７のいずれか一項に記載のナビゲーション装置。
【発明の詳細な説明】
【技術分野】
【０００１】
本発明は、ナビゲーション装置に、取得した施設地図情報を格納できるようにした地図配信システムに関する。
【背景技術】
【０００２】
近年、多くの自家用車等には、ＧＰＳを利用したナビゲーション装置（以下、ナビ装置という。）が搭載されている。このナビ装置では、ＣＤ−ＲＯＭ等に格納された地図情報を、装備された表示装置に画面表示する。そして、その画面上に、自車の走行位置を示して、ナビゲーションを行っている。
【０００３】
また、ＣＤ−ＲＯＭ等には、地図情報の他に、例えば、ガソリンスタンド、飲食店、観光施設、公共施設等の各種施設情報が格納されており、表示装置の画面上に、地図の位置に関連させて表示される。ここで、例えば、行きたい飲食店を探さなければならない場合、これらの施設情報のうち、選択ジャンルとして飲食店を選択し、表示された複数の飲食店を探し出す。自分の行きたい飲食店が決定できたならば、その位置に向けて運転していき、その飲食店で食事をすることになる。
【０００４】
一方、インターネット上では、宣伝、あるいは、紹介のために、ホームページに各種施設情報が掲示されており、誰でも、その各種施設情報にアクセスすることができる。そのホームページを開くと、施設に関連する情報、所在場所を示す地図、電話、ＦＡＸ番号、ＵＲＬアドレス等が表示され、その施設について知ることができる。また、宣伝としては、テレビ番組等でも行われている。例えば、料理番組で見られるように、放映している飲食店に関する情報、飲食店名、所在場所を示す簡略地図、連絡先等をテレビ画面の一部に映し出し、あるいは、テロップ形式で表示している。
【発明の概要】
【発明が解決しようとする課題】
【０００５】
しかし、この料理番組を視聴している最中に、その放映された飲食店に行って、そこの料理を食べたいと思った場合、テレビ画面に映し出されている連絡先、地図等を、急いでメモしなければならない。手元にメモがなければ、後で放送局に連絡をとって、その飲食店の連絡先を聞き出さなければならないという問題があった。
【０００６】
また、このメモした情報を元に、自家用車で出かける場合には、搭載されているナビ装置が内蔵するＣＤ−ＲＯＭ等を用いて、その飲食店の所在地名、番号を頼りにその位置を確認しなければならない。このように、施設情報を知り得ても、実際に出かけるには、手間を要するという問題があった。
【０００７】
インターネットのホームページから得た施設情報であっても、その施設情報を利用するには、テレビ番組から知り得た施設情報の場合と同様の問題があった。そこで、本発明の目的は、センターサーバに地図情報と、施設及び施設関連情報とを格納しておき、格納された各情報を読み出し、該各情報をナビ装置で簡単に利用することができる地図配信システムを提供することである。
【課題を解決するための手段】
【０００８】
以上の課題を解決するため、本発明の地図配信システムは、インターネット通信回線を介して施設の位置座標情報を取得する携帯通信端末と、携帯通信端末から施設の位置座標情報を取得して記憶する記憶部と、地図情報を記憶する地図情報記憶部と、該記憶部に記憶されている該施設の位置座標情報に基づいて、施設の位置を該地図情報に基づいた地図画面上に表示する表示部と、を有するナビゲーション装置と、を備えることを特徴とする。
【０００９】
また、本発明のナビゲーション装置は、インターネット通信回線を介して施設の位置座標情報を取得する携帯通信端末から施設の位置座標情報を取得して記憶する記憶部と、地図情報を記憶する地図情報記憶部と、該記憶部に記憶されている該施設の位置座標情報に基づいて、施設の位置を該地図情報に基づいた地図画面上に表示する表示部と、を備えることを特徴とする。
【発明の効果】
【００１０】
本発明による地図配信システムよれば、センターサーバに地図情報と、施設及び施設関連情報とが格納されており、格納された各情報を読み出し、該各情報をナビ装置で簡単に利用することができる。
【図面の簡単な説明】
【００１１】
【図１】第１の実施形態による地図配信システムのブロック図を示す。
【図２】データベースに格納される施設関連情報テーブルの一例を示す。
【図３】第１の実施形態による地図情報等の配信要求時における画面表示例を示す図である。
【図４】図３に続く表示画面例を示す図である。
【図５】第２の実施形態による地図配信システムのブロック図を示す図である。
【図６】第２の実施形態による地図情報等の配信要求時における画面表示の一例を示す図である。
【図７】第２の実施形態による他の地図配信システムのブロック図を示す図である。
【図８】第３の実施形態による他の地図配信システムのブロック図を示す図である。
【図９】第４の実施形態による地図情報等の送信要求時における画面表示例を示す図である。
【図１０】図９に続く画面表示例を示す図である。
【図１１】第５の実施形態による地図情報等の配信要求時における画面表示例を示す図である。
【発明を実施するための形態】
【００１２】
以下に、本発明による実施形態を、実施形態毎に分け、図を参照しながら説明する。
【実施例１】
【００１３】
第１の実施形態における地図配信システムでは、テレビ装置等で番組が放映されているとき、自宅にあるパソコンで、センターサーバにアクセスし、番組に登場した施設に関し、少なくとも、施設位置情報と地図情報の施設情報を取得して、該各情報を自宅の車庫に駐車中の車に搭載されたナビ装置に格納するようにした。
【００１４】
第１の実施形態における地図配信システムのシステムブロック構成を、図１に示した。自宅１に、パソコン１１が備えられており、パソコン１１には、少なくとも表示装置１２及び記憶装置１３が接続されている。表示装置１２は、通常、ＬＣＤやＣＲＴなどの表示画面を有するものであればよく、また、記憶装置１３は、パソコン１１の本体に内蔵するものでも、あるいは、外付けのものでも、記憶容量に応じて選択できるものである。
【００１５】
パソコン１１には、モデムが備えられ、電話回線２を介してインターネット通信を行うことができる。尚、このパソコン１１には、後述する施設情報をデータベース化し、更に、ナビ装置と通信可能にするソフトウエアが内蔵されている。自宅１には、車庫５があり、車庫５には、車５１が収容される。車庫５には、近距離無線端末５４が設置され、該端末５４は、パソコン１１とＬＡＮで接続されている。
【００１６】
車５１には、ナビ装置５２を搭載しており、ナビ装置５２は、通常のナビゲーション機能の他に、携帯通信端末５３を接続すると、外部と情報の送受信を行うことができる機能を備えている。近距離無線端末５４は、携帯電話、ＡＶ機器など、家庭内のディジタル機器間の音声やデータ、映像などの情報の送受信をケーブル無しで近距離無線通信できるブルートゥース（近距離通信規格）の端末である。図１で示したように、車庫５に近距離無線端末５４を備えておくと、例えば、車庫５の出入り口におけるシャッターの開閉制御をリモートで行える。
【００１７】
また、放送局４、例えば、テレビジョン放送局には、センターサーバ４１が備えられ、インターネット３を介して、第三者がアクセスできるようになっている。センターサーバ４１には、少なくとも、放送局４で放映した番組に関する放映内容、宣伝情報、宣伝に関わる施設の周辺における地図情報が格納されている。次に、このようなシステム構成された地図配信システムに関する利用者の利用方法について説明する。
【００１８】
利用者が、自宅１にあるテレビで放送番組を視聴しているとき、その放映途中に、宣伝情報、例えば、施設の名称、場所、連絡先などの施設情報が流れることがある。この時のテレビ画面には、「当局のセンサーサーバに本施設情報があります。当局のホームページアドレスは、httm://------jp/です。」等が表示されるものとする。
【００１９】
このとき、放映された施設、例えば、安売りをしているスーパーマーケットに行って買い物をしたいと思ったような場合、利用者は、パソコン１１を操作し、上述したホームページアドレス等に基づき、その番組を放映した放送局４にあるセンターサーバ４１にアクセスする。そして、該サーバ４１にアクセスできたならば、当該放送番組を検索し、放送関連情報を表示装置１２に表示する。この放送関連情報の中から、必要としている施設情報、ここでは、当該スーパーマーケット関連情報を選択し、サーバ４１に配信要求をして記憶装置１３にダウンロードする。
【００２０】
記憶装置１３にダウンロードされた施設情報は、商店別などのジャンル別、地域別等に分けてデータベース化され、保存される。センターサーバ４１から記憶装置１３にダウンロードされた施設情報のデータベースの一例を、図２に示す。図２のデータベースでは、ダウンロードした施設情報は、地域別に、施設名毎に、その配信日時、施設の所在位置座標、連絡先について、それぞれ格納される。さらに、当該施設周辺の詳細度が異なる地図情報、例えば、施設を中心とした半径２５０ｍ、５００ｍといった範囲の地図情報も格納される。また、施設の宣伝情報、例えば、イベントがあるとか、安売りをしているとかの広告コメント情報なども格納することができる。
【００２１】
このように、利用者自身が行って見たいと思う施設について、放送局４のセンターサーバ４１から必要情報を記憶装置１３にダウンロードでき、必要なときに、記憶装置１３のデータベースを検索すれば、自分の行きたい施設情報を簡単に知ることができる。しかし、車で直ぐに、当該施設に出かけたいときなどでは、施設情報が分かっただけでは、その施設が何処にあるのか、どのルートを走行すればよいのか、具体的には分からないことが多く、調べるには面倒なことである。
【００２２】
そこで、図１に示された地図配信システムにおいて、パソコン１１によって、記憶装置１３から当該施設情報を読み出し、当該情報を近距離無線端末５４及び携帯通信端末５３を介してナビ装置５２に送信する。ナビ装置５２では、送信された当該情報を内蔵記憶部に記憶する。この場合、ナビ装置５２及び携帯通信端末５３の電源をオン状態にしておくか、若しくは、これらの電源がオフ状態にあるときには、近距離無線端末５４より、携帯通信端末に係るサーバに電子メール等を用いて、情報を送信しておき、後で、ナビ装置５２、携帯通信端末５３の電源をオン状態にして情報をサーバから取り込んでも良い。
【００２３】
なお、当該情報としては、図２に示されるように、当該施設情報に係る全ての情報を送信する必要はなく、当該施設の所在場所が分かればよい場合には、少なくとも当該施設の所在位置座標があればよい。この座標が分かれば、ナビ装置５２が備えている地図情報に基づいて、表示された地図画面上に当該施設の位置を表示することができる。
【００２４】
また、当該施設の所在位置座標とともに、当該施設周辺の詳細地図情報を、ナビ装置５２に同時に送信することもできる。例えば、ナビ装置５２に備えられた地図情報では、分かりづらいときなどでは、詳細地図情報が得られるので、便利である。ナビ装置５２で詳細地図情報を画面に表示すれば、その画面上で当該施設の所在位置を知ることができる。この場合、詳細地図情報には、この地図に関する基準位置情報が含まれている必要がある。
【００２５】
そこで、これら当該施設の所在位置座標又は詳細地図情報が、ナビ装置５２に記憶されると、これらの情報に基づいて、当該施設までの走行ルートを設定することができ、走行中には、当該施設までのナビゲーションがなされる。ナビ装置５２の記憶部における記憶容量が大きい場合には、この記憶部に施設情報のデータベースを構築してもよい。そうすると、パソコン１１で、当該施設の検索を行って必要情報を一々送信しなくて済み、車内で、随時調べることができる。また、ナビ装置５２の地図表示画面上に、施設名や、連絡先や、広告コメントも表示できるようになる。
【００２６】
次に、パソコン１１の表示装置１２に表示される表示画面を見ながら、放送局４のセンターサーバ４１から当該施設情報を、記憶装置１３にダウンロードする場合の手順について、図３及び図４を参照して、その一具体例を説明する。図３及び図４の（ａ１）乃至（ａ４）は、パソコン１１で操作される表示装置１２の各表示画面の例を示している。
【００２７】
先ず、（ａ１）は、テレビで案内されたアドレス等に基づいて、パソコン１１でセンターサーバ４１にアクセスし、当該施設をデータベースから検索して得られた施設情報を、表示装置１２の表示画面に表示したところを示している。ここでは、当該施設に関わる周辺の詳細地図、名称、連絡先である電話又はＵＲＬアドレスが表示されている。
【００２８】
表示された画面には、インタラクティブに操作できるように、クリックすると次のメニューに進むことができるマークＭが設けられている。この表示された画面を見て、当該施設情報が必要であると判断したときには、当該施設情報を取得するため、「配信」のマークＭをクリックする。そうすると、センターサーバ４１は、当該施設情報の配信要求がされたと判断し、配信すべき情報の内容について確認する配信内容選択メニューを、パソコン１１に送信する。
【００２９】
配信内容選択メニューは、（ａ２）に示されるように、各種内容情報とともに、それらに対する配信料金が表示されている。内容情報に応じて異なる料金設定がなされているため、利用者にその料金を認識させる。そこで、利用者は、メニュー中に表示されている内容情報上をクリックすることにより、配信要求する情報を選択送信する。
【００３０】
センターサーバ４１は、配信要求する情報が選択送信されると、選択確認メニューをパソコン１１に送信する。図４の（ａ３）に示すように、表示装置１２に選択確認メニューが表示される。表示された選択確認メニューには、配信要求した内容情報と、合計金額が示されており、利用者は、これらを確認して、希望どおりであれば、「はい」のマークＹをクリックする。また、希望どおりでない場合や、変更したい場合には、「いいえ」のマークＮをクリックする。
【００３１】
「はい」のマークＹをクリックした場合には、センターサーバ４１は、パソコン１１に、配信を選択された情報を送信する。そして、パソコン１１で受信されたことが確認できると、表示装置１２に「配信完了」の画面が表示される。一方、「いいえ」のマークＮをクリックした場合には、表示装置１２の画面は、配信内容選択メニューに戻る。ここで、利用者は、再度、配信を希望する内容情報を選択し直して、選択送信する。再び、表示装置１２には、選択確認メニューが表示される。以後は、前述と同様である。また、配信要求を止めてしまうときは、キャンセル処理を行う。
【００３２】
そして、センターサーバ４１から配信された当該施設情報を、記憶装置１３にデータベース化して格納する。当該施設情報が格納されたならば、近距離無線端末５４及び携帯通信端末５３を介して、ナビ装置５２に当該施設情報を送信し、記憶させる。このようにして、行ってみたい施設に関する施設情報を簡単に取得でき、特に、当該施設に係る位置及び地図情報をナビ装置に記憶できるようにしたので、行ってみたい施設に、車で簡単に行くことができる。
【００３３】
なお、センターサーバでは、利用者により選択され送信した施設等に係わる情報量に応じて、利用者に課金することになる。センターサーバから、利用者が利用している金融機関に対して、その料金が請求される。例えば、利用者のキャッシュカードシステムより料金が自動引き落としされる。この料金の決め方には、種々考えられる。センターサーバから選択された地図情報が配信されたなら、１件毎に課金することもできる。
【００３４】
しかし、過去に取り込んだ施設等に関する情報である場合、例えば、Ａ商店の地図情報を過去に取り込み、今回も同じ形態でＡ商店の地図情報を配信要求すると、「以前に配信済です。」等のメッセージが表示し、取り込みをキャンセルさせるとか、あるいは、取り込んだとしても無料にすることもできる。また、今回選択して配信要求した施設、例えば、Ｂ商店が、過去に取り込んだ施設、例えば、Ａ商店と距離的に近いため、Ｂ商店の所在位置が、取り込まれているＡ商店に係る地図情報に含まれている場合がある。このようなことは、配信する地図情報の範囲を、施設の位置を中心にして決めるときに起こる。この場合には、今回配信すべき地図情報が、過去に取り込まれた地図情報の約半分であるとすれば、その地図情報の配信料金を半額にしてもよい。
【００３５】
このように、配信情報量に応じて、センターサーバでは、今回配信すべき地図情報の重要度に応じて料金を変えるようにできる。なお、以上では、テレビジョン放送局４に設置されているセンターサーバ４１の場合について説明したが、これに限定されず、例えば、インターネット３上に形成されるショッピングモールなどのサーバにアクセスして得た施設情報によっても、その施設情報に、施設位置座標及び地図情報が含まれるものであれば、本実施形態による地図配信システムを適用することができる。
【実施例２】
【００３６】
第１の実施形態では、放送局にあるセンターサーバに格納されている地図情報を含む施設情報を、自宅にあるパソコンで取得し、パソコンに接続された記憶装置に一度記憶し、記憶された施設情報を、近距離無線端末及び携帯通信端末を介して、車庫に収容されている車に搭載されたナビ装置に送信するようにした。
【００３７】
しかし、第１の実施形態では、近距離無線端末経由で、取得した施設情報をナビ装置に送信しているので、その送信範囲は、ブルートゥースであれば、十数メートルと限られたものとなっている。そこで、第２の実施形態では、センターサーバから得られる施設情報を、送信範囲を制限されることなく、車に搭載されたナビ装置に記憶できるようにした。この場合には、車は、自家用でなくても、他人の車でもよく、送信先の携帯電話番号が分かっていれば、実施できるものである。
【００３８】
第２の実施形態による地図配信システムの概略ブロック構成を、図５に示す。図５に示した地図配信システムでは、図１で示したものと比較して、パソコン１１にＬＡＮ接続された近距離無線端末が備えられていない点で異なっている。その点に関して、図５の地図配信システムでは、車に搭載されたナビ装置が、携帯電話に接続できるようにし、電話回線２及び無線基地局６を介して、地図情報を含む施設情報が、格納されているセンターサーバ４１から送信されるようになっている。
【００３９】
図５に示された地図配信システムにおいて、図１と同じ部分には同じ符号をつけて示した。そして、ナビ装置５２に施設情報が記憶された後の処理は、図１に示した場合と同様である。ここで、センターサーバ４１からの地図配信処理について説明する。ただ、この地図配信処理は、基本的には、図３及び図４の（ａ１）乃至（ａ４）の表示画面で示される手順で行われる。
【００４０】
しかし、図１の地図配信システムでは、（ａ３）の表示画面で、「はい」のマークＹをクリックすると、センターサーバ４１は、配信内容選択された施設情報をパソコン１１に送信するようにしたが、図５の地図配信システムでは、（ａ３）の表示画面の次に、図６に示すような配信先指定メニューの表示画面（ｂ）が表示装置１２に表示され、選択した施設情報の配信先を指示することができる。
【００４１】
図５の地図配信システムによると、（ｂ）の配信先指定メニューにおいて、携帯電話の番号を入力して、（ａ３）で確認した内容の配信を指示する。センターサーバ４１は、指示された番号に従って、インターネット３、電話回線２及び無線基地局６を介して、携帯電話５５に施設情報を送信する。そこで、施設情報がナビ装置５２に記憶される。
【００４２】
なお、図５では、携帯電話を利用して、施設情報をナビ装置５２に記憶させた例を示したが、センターサーバ４１から取得できる施設情報をナビ装置でなく、例えば、知人のパソコンに送信して知らせたいというような場合には、（ｂ）の配信先指定メニューで、知人のパソコンのアドレスを入力することにより、センターサーバ４１から取得できた施設情報を、インターネット３及び電話回線２を介して、指定されたアドレスのパソコンに送信することができる。
【００４３】
また、センターサーバ４１から取得した施設情報を、パソコン１１の記憶装置１３に記憶し、データベースとして保存することもできるが、図７に示すように、電話回線２とインターネット３との間には、通常、プロバイダー７が設置されているので、このプロバイダー７にある格納部７１を利用することができる。この場合には、（ｂ）の配信席指定メニューで、配信先にプロバイダー７のアドレスを指定する。そうすると、センターサーバ４１からの施設情報は、格納部７１に蓄積され、図２に示されるような施設情報のデータベースを構築することができ、あるいは、一時的に格納することができる。
【００４４】
そして、必要なときに、携帯電話５５により格納部７１にアクセスして、施設情報を選択して取り出し、該情報をナビ装置に記憶することができる。この場合、センターサーバ４１から施設情報を取得するときには、その利用者に課金されるが、格納部７１から蓄積された施設情報を取り出すときには、施設情報取得に対しては課金されない。
【００４５】
また、格納部７１に記憶された施設情報は、自車の携帯電話によって読み出されるとしたが、他の携帯電話でも読み出すことが可能である。このように、第２の実施形態では、センターサーバから取得できる地図情報を含む施設情報を、配信先を選択して指定できるので、離れた場所にあるナビ装置等に配信でき、離れた場所から行きたい施設等の場所を、簡単に知らせることができる。
【実施例３】
【００４６】
第１及び第２の実施形態では、テレビ放映された放送番組に映し出された施設について、該施設情報を取得するため、放送局にあるセンターサーバにパソコンでアクセスし、そして、取得できた施設情報をナビ装置に記憶するようにした。
【００４７】
そこで、第３の実施形態の地図配信システムでは、双方向通信可能なケーブルテレビジョンシステム（ＣＡＴＶ）に接続されたテレビ装置の表示画面を通して、地図情報を含む施設情報の配信を要求できるようにし、該施設情報を取り込めるようにした。テレビ装置にパソコン機能が備えられ、テレビ装置の表示画面を通して地図情報を含む施設情報を取得することができるようにした。
【００４８】
図８に、第３の実施形態による双方向通信型ＣＡＴＶに適用した地図配信システムの概略ブロック構成を示す。自宅１には、テレビ装置１５が置かれており、このテレビ装置１５は、双方向通信型ＣＡＴＶシステムに接続されている。ケーブルテレビセンター局８からの放送番組は、ヘッドエンド８１から、伝送・分配系９によって各家庭に分配され、ホームターミナル１４を介してテレビ装置１５に送信される。その放送番組はテレビ装置１５に設けられている画面表示装置１６で放映される。
【００４９】
一方、センター局８とテレビ装置１５との間で、双方向に通信するために、パソコン１１がテレビ装置１５に接続されている。パソコン１１は、図１のパソコン１１と同様のものであり、電話回線２の他に、車庫５に設置された近距離無線端末５４にＬＡＮによって接続されている。図８の地図配信システムが図１のものと異なる点は、パソコン１１を操作することで、センター局８にアクセスすることができ、ホームターミナル１４、伝送・分配系９及びヘッドエンド８１を介して上り通信を行うことができることである。そして、逆に、センターサーバ８２から情報を読み出し、下り通信で該情報を取得することができる。
【００５０】
図８では、図１と同じ部分には同じ符号を付けてあるので、センターサーバ８２から取り出した情報を、記憶装置１３に記憶してデータベースを構築でき、また、取り出した情報を、近距離無線端末５４及び携帯通信端末５３を介して、ナビ装置５２に記憶することができる。さらに、図５に示されるように、記憶装置１３に記憶された情報を、無線基地局６を介して携帯電話によりナビ装置５２に記憶させることもできる。
【００５１】
なお、図８では、テレビ装置１５とパソコン１１とは別体のものとして示したが、両者が一体であってもよい。ここでは、テレビ装置１５とパソコン１１との表示装置が共有されて画面表示装置１６となっている。画面表示装置１５には、放送番組とパソコン画面とが、マルチ画面で、あるいは、どちらかの切り替え画面で表示される。
【００５２】
ここで、図８に示された地図配信システムにおける配信要求処理について説明する。配信要求処理の手順は、基本的に、図３及び図４に示される表示画面（ａ１）乃至（ａ４）と同様であるが、図８の地図配信システムでは、表示画面（ａ１）の表示の仕方が異なる。
【００５３】
ＣＡＴＶシステムで放送される番組は、ケーブルテレビセンター局８で編集され、放映される画面の加工が行われる。そのため、放映画面に、例えば、ピクチャーインピクチャー方式で広告情報を挿入することもできる。このようなとき、広告の対象となっている、例えば、施設に関する情報、つまり、施設位置情報、地図情報等がセンターサーバ８２に格納されていることを示すマークを放映画面に表示する。このマークは、放映画面（ａ１）のように、サーバ８２にアクセスして取り出せることを表すために、例えば、「配信」のマークＭと表示してもよい。
【００５４】
また、例えば、放映されている番組中で登場する施設に関する情報が、センターサーバ８２に存在するという場合では、例えば、「センターサーバに本施設情報があります。」等のように、その情報があることを示すマークを、放送途中の放映画面に表示するようにしてもよい。このようなマークＭが放映画面に表示されたときに、視聴者が、例えば、行って見たいと思ったならば、そのマークＭをクリックする。このクリック操作は、パソコン１１に備えられた操作手段によっても、また、テレビ装置１５に付属するリモコン装置１７で行うことができる。
【００５５】
放映画面（ａ１）中に表示されたマークＭがクリックされると、サーバ８２は、上り信号で当該情報についての配信要求の検出を行い、画面表示装置１６の画面の少なくとも一部に画面（ａ２）を表示する。そこで、視聴者は、画面（ａ２）で配信内容を選択して、各項目をポインタする。このポインタは、リモコン装置１７でも、あるいは、パソコン１１の操作手段でも行える。
【００５６】
次に、配信選択確認メニュー画面（ａ３）が放映画面の少なくとも一部に表示され、視聴者は、選択した配信内容が希望どおりであるかを確認する。内容がＯＫの場合には、「はい」のマークＹを、上と同様に、クリックすると、サーバ８１は、下り信号で、選択された配信内容に該当する情報をパソコン１１に送信する。そして、サーバ８１は、当該情報に関するパソコン１１からの受信応答を受けて、画面（ａ４）のように、配信が完了したことを画面表示装置１６の画面に表示する。
【００５７】
パソコン１１の記憶装置１３に、当該情報が記憶された後は、図１に示された地図配信システムと同様であり、少なくとも、施設位置情報と当該施設関連地図情報が、ナビ装置５２に送信されて記憶される。なお、図８の地図配信システムでは、双方向通信型ＣＡＴＶを利用して、センター局８にあるセンターサーバ８２に蓄積されている施設情報を取得するようにしたが、マルチメディア対応の双方向テレビジョンシステムにも適用でき、その放映画面に「配信」のマークＭを表示するようにして、テレビ放送局から、放映された施設に関わる情報を取得することができる。
【００５８】
以上のように、第３の実施形態の地図配信システムによれば、テレビ放映されている番組の中で、行きたい、あるいは、知りたい施設等が登場したときに、即座に、当該情報を取得でき、必要な情報を、自車に搭載されたナビ装置に記憶することができるので、当該施設の場所を簡単に確認でき、自車で直ぐ出かけることができる。
【実施例４】
【００５９】
第１及び第２の実施形態では、自宅にあるテレビ装置等でオンエアされている番組等に登場した施設について、該番組を放送している放送局等のセンターサーバにアクセスして、当該施設情報を取得し、自車又は他の車のナビ装置に記憶するようにした。
【００６０】
しかし、第４の実施形態の地図配信システムでは、放送局のセンターサーバに限らず、少なくとも、施設に係わる位置情報と、地図情報とを蓄積したデータベースを備えたサーバにアクセスし、必要とする施設情報を検索し、取得した施設情報を、自車又は他車に搭載されたナビ装置に記憶することができるようにした。この場合では、例えば、テレビ放映中に登場してくる施設に関連して、画面上に「この施設の問い合わせ先は、httm://------jp/です。」等のように、施設情報が蓄積されたサーバのアドレスが表示される。
【００６１】
第４の実施形態による地図配信システムのブロック構成は、図１又は図５に示された構成と同様であるが、第４の実施形態のシステムが異なる点は、センターサーバが、図１又は図５で示されるように、放送局４内になくてもよいことである。サーバは、インターネット３に接続され、パソコン１１でアクセスでき、蓄積されている情報の中から、少なくとも、位置情報と地図情報を取り出せればよい。
【００６２】
そこで、第４の実施形態による地図配信システムにおける配信要求処理について、図９及び図１０を参照して説明する。利用者がある所に行きたいと思ったとき、パソコン１１に検索画面（ｃ１）を表示させる。画面（ｃ１）で、地名、施設又は地図区分から選択して、行きたい場所を指定する。
【００６３】
行きたい場所が指定されると、次に、画面（ｃ２）が表示され、行きたい場所までのルートとして、有料道路か、一般道路のどちらかを選択し、必要とする地図情報の詳細度、又は縮尺度を選択し、画面（ｃ３）で取得情報の送信先を入力する。そこで、パソコン１１は、サーバにアクセスし、選択指示条件を送信する。サーバでは、送信された選択指示条件に従って、データベースを検索し、その検索結果を、確認画面（ｃ４）のように、パソコン１１の表示装置１２に表示する。確認画面（ｃ４）に表示された様子を確かめ、その内容がＯＫならば、「ＯＫ」マークをクリックする。
【００６４】
サーバは、この「ＯＫ」信号を受信すると、画面（ｃ３）で入力された送信先に、検索して得られた位置情報及び地図情報を含む情報を送信する。送信先からの受信確認信号を受けて、画面（ｃ５）のように、「送信完了」の表示を行う。そして、送信先において、受信した位置情報及び地図情報を含む情報をナビ装置に記憶する。
【００６５】
このように、第４の実施形態によれば、行きたい場所、施設等の位置情報及び地図情報を簡単に取得でき、その情報をナビ装置に記憶することができるので、車で出かけるときには、行きたい場所や施設までのルート設定が容易になり、目的地に確実に到達できる。
【実施例５】
【００６６】
これまでの実施形態では、主として、利用者が自宅に居て、必要とする施設等の位置情報及び地図情報を取得する場合であったが、第５の実施形態の地図配信システムでは、利用者が、例えば、車で走行中に、知りたい施設等の位置情報及び地図情報を取得して、それらの情報を自車に搭載されたナビ装置に記憶するようにした。
【００６７】
自車に搭載されているナビ装置には、インターネットに接続されたセンターサーバにアクセスすることができる携帯情報通信端末を接続しておく。そして、ナビ装置の表示装置には、センターサーバへのアクセスに関連する画面を表示させる。さらに、運転中の安全性を考慮して、このナビ装置への入力には、手動操作入力手段の他に、音声認識装置を内蔵しておき、音声で操作指示できるようにしておく。
【００６８】
このようなナビ装置を利用するにあたっては、先ず、ナビ装置を、施設等に関する位置情報及び地図情報の検索モードに設定しておく。そこで、車を運転中に、例えば、トイレに行きたくなったような場合、運転者が、ナビ装置に向かって、「トイレ」と発声する。ナビ装置は、検索モードに設定されているときには、音声認識した単語を、検索する必要がある施設等に係わるものであると判断し、図１１の条件選定画面（ｄ１）に示されるように、予め設定された選定条件をナビ装置の表示装置に表示する。ここで、条件選定画面（ｄ１）が表示されている間に、運転者は、選定する条件に該当する、例えば、「男」「子供」を発声する。勿論、手動操作によって各項目をクリックして選択するようにしてもよい。
【００６９】
次いで、ナビ装置は、センターサーバにアクセスし、検索条件である、「トイレ」「男」「子供」と、自車の位置情報とを送信する。センターサーバでは、送信された位置情報と検索条件により、データベースを検索し、例えば、トイレの所在場所名、現在位置からの距離など、図１１の（ｄ２）に示されるように、その検索結果をナビ装置に返信する。
【００７０】
そこで、運転者は、ナビ装置に表示された所在一覧画面（ｄ２）を見て、緊急度、清潔度などを考慮して、行き先を選択する。例えば、２番目の公衆トイレを選択するのであれば、「２」と発声する。そうすると、ナビ装置は、センターサーバに「２」を選択したことを送信する。センターサーバでは、この選択結果を受信して、現在位置及び「２」を含む地図情報、「２」のトイレまでのルート情報、施設関連情報等をナビ装置に送信する。
【００７１】
ナビ装置では、図１１の画面（ｄ３）に示されるように、トイレまでのルート案内が表示される。これらの情報をナビ装置に記憶してもよい。なお、センターサーバから必要情報を取得したときには、利用者が有する金融機関の口座を利用して課金されるが、例えば、所在一覧の表示までは無料、ルート案内１件について１００円、さらに、清潔度に応じて加算というように設定してもよい。
【００７２】
このように、第５の実施形態による地図配信システムによれば、車を運転中であっても、必要とする施設等に関連した地図情報を取得し、該地図情報をナビ装置に取り込むことができるので、必要なときに、必要とする施設等の地図情報をナビ装置で簡単に使うことができる。
【符号の説明】
【００７３】
１    自宅
１１    パソコン
１２    表示装置
１３    データベース
１４    ホームターミナル
１５    テレビ装置
１６    画面表示装置
１７    リモコン装置
２    電話回線
３    インターネット
４    放送局
４１、８２    センターサーバ
５    車庫
５１    車
５２    ナビ装置
５３    携帯通信端末
５４    近距離無線端末
５５    携帯電話
６    無線基地局
７    プロバイダー
７１    格納部
８    ケーブルテレビセンター局
８１    ヘッドエンド
９    伝送・分配系
【図１】
2010230677.tif 000003
【図２】
2010230677.tif 000004
【図３】
2010230677.tif 000005
【図４】
2010230677.tif 000006
【図５】
2010230677.tif 000007
【図６】
2010230677.tif 000008
【図７】
2010230677.tif 000009
【図８】
2010230677.tif 000010
【図９】
2010230677.tif 000011
【図１０】
2010230677.tif 000012
【図１１】
2010230677.tif 000013